(57)【特許請求の範囲】
【請求項１】
本体ケースに蓋体ケースを開閉可能に連結してなる携帯通信端末装置において、本体ケースの内面には、１或いは複数の操作キーが配備されると共に、該１或いは複数の操作キーには夫々、各操作キーに関する情報を表わす蛍光膜のパターンが形成され、蓋体ケースの内面には、ディスプレイが配備されると共に、蓋体ケースには、前記ディスプレイのバックライトによって構成される光照射装置が内蔵されており、該光照射装置は制御回路に接続され、該制御回路は、蓋体ケースが閉じている場合は、所定の周期で所定の時間だけ前記光照射装置をオンとする一方、蓋体ケースが開いている場合は、ユーザ操作があったとき、或いは着信があったときに、所定の時間だけ光照射装置をオンとする、制御手段を具えていることを特徴とする携帯通信端末装置。
【発明の詳細な説明】
【０００１】
【発明の属する技術分野】
本発明は、ケーシングの表面に１或いは複数の操作キーが配備された携帯電話機等の携帯通信端末装置に関するものである。
【０００２】
【従来の技術】
従来、普及している携帯電話機においては、扁平なケーシングの表面にテンキー等の複数の操作キーが配備されている。これら複数の操作キーの表面には夫々、各操作キーの機能が表示されており、ユーザは、この機能表示を見つつ操作キーを操作することによって、文字等のデータを入力することが可能であると共に、携帯電話機に種々の動作を実行させることが可能である。
【０００３】
【発明が解決しようとする課題】
しかしながら、従来の携帯電話機においては、周囲が暗い状態でキー操作を行なう際、各操作キーの機能表示が見づらい問題があった。
本発明の目的は、周囲が暗い状態であっても、各操作キーの機能表示等の情報表示が見易い携帯通信端末装置を提供することである。
【０００４】
【課題を解決する為の手段】
ところで、屋内に設置される電話機として、蛍光塗料の塗布によって各操作キーの表面に機能が表示された電話機が知られている。
各操作キーの表面に形成された蛍光膜には、太陽光や照明器具からの光等、外部からの光が入射し、その光エネルギーが蛍光膜に蓄積される。そして、周囲が暗い状態では、蛍光膜から光が発せられて、各操作キーの機能表示は見易いものとなる。
【０００５】
そこで、携帯電話機においても、蛍光塗料の塗布によって、各操作キーの表面に機能を表示することが考えられる。
しかしながら、携帯電話機は、鞄等に入れられて携帯されるため、外部からの光を受ける時間が屋内に設置される電話機に比べて短く、充分な光エネルギー蓄積量が得られない。このため、周囲の暗い状態が長時間に亘って継続した場合に、蓄積された全ての光エネルギーが消費されて蛍光膜が発光し得ない事態が生じる問題がある。
そこで、本発明者らは、上記問題を解決すべく鋭意研究を行なった結果、各操作キーの蛍光膜に外部からの光以外の光を強制的に照射することに想到し、本発明の完成に至った。
【０００６】
即ち、本発明に係る携帯通信端末装置においては、本体ケースに蓋体ケースを開閉可能に連結してケーシングが構成され、本体ケースの内面には、１或いは複数の操作キーが配備されると共に、該１或いは複数の操作キーには夫々、各操作キーに関する情報を表わす蛍光膜のパターンが形成され、蓋体ケースの内面には、ディスプレイが配備されると共に、蓋体ケースには、前記ディスプレイのバックライトによって構成される光照射装置が内蔵されており、該光照射装置は制御回路に接続され、該制御回路は、蓋体ケースが閉じている場合は、所定の周期で所定の時間だけ前記光照射装置をオンとする一方、蓋体ケースが開いている場合は、ユーザ操作があったとき、或いは着信があったときに、所定の時間だけ光照射装置をオンとする、制御手段を具えている。
【００１４】
上記本発明の携帯通信端末装置においては、ケーシングを閉じた状態で両ケースの互いに対向する位置に、ディスプレイの表示面と前記１或いは複数の操作キーの蛍光膜が配備されているので、ケーシングを閉じた状態では、光照射装置からの光は、蛍光膜に照射されると共にディスプレイの表示面に照射されることになる。従って、ディスプレイの表示面を照明するための照明装置と蛍光膜に光を照射するための光照射装置の２つの装置を装置本体に搭載する必要はなく、装置本体の小型化を図ることが出来る。
【００１７】
【発明の効果】
本発明に係る携帯通信端末装置によれば、周囲が暗い状態であっても、各操作キーの機能表示等の情報表示が見易い。
【００１８】
【発明の実施の形態】
以下、本発明の実施の形態につき、４つの実施例に基づいて具体的に説明する。
第１実施例
本実施例の携帯電話機は、図１に示す如く前面ケース(11)と背面ケース(12)を組み合わせてなる扁平なケーシング(１)を具え、該ケーシング(１)の頭部にアンテナ(13)が突設されている。
前面ケース(11)の表面には、上端部に、スピーカを内蔵した受話部(２)が設けられる一方、下端部に、マイクロホンを内蔵した送話部(20)が設けられている。
【００１９】
又、前面ケース(11)の表面には、複数の操作キーからなるキー入力装置(14)が配備されると共に、ディスプレイ(15)が配備されている。ディスプレイ(15)には、キー入力装置(14)によって入力された情報や各種の情報を表示することが可能であって、ケーシング(１)には、ディスプレイ(15)の表示面を照明するためのバックライト(図示省略)が内蔵されている。
【００２０】
上記携帯電話機においては、キー入力装置(14)の複数の操作キーの表面に夫々、後述の如く、各操作キーの機能を表わす蛍光膜のパターンが形成されている。各操作キーの表面に形成された蛍光膜には、太陽光や照明器具からの光等、外部からの光が入射し、その光エネルギーが蛍光膜に蓄積される。そして、周囲が暗い状態では、蛍光膜から光が発せられて、各操作キーの機能表示は見易いものとなる。
【００２１】
又、上記携帯電話機においては、ケーシング(１)に、前記複数の操作キーの表面に形成された蛍光膜に光を照射するための光照射装置(図示省略)が内蔵されている。
【００２２】
光照射装置は、複数のＬＥＤ(発光ダイオード)によって構成されており、各ＬＥＤ(18a)は、図２(ｂ)に示す如く、ケーシングに内蔵された回路基板(19)上に、キー入力装置(14)の各操作キー(14a)と対向させて配置されている。
キー入力装置(14)の各操作キー(14a)は、ＬＥＤ(18a)からの光を透過させることが可能な透明部材から構成され、各操作キー(14a)の表面には、図２(ａ)及び(ｂ)の如く、蛍光塗料を塗布することによって、前記蛍光膜(14a)のパターンが形成されている。又、各操作キー(14a)の表面には、蛍光膜(14b)の形成領域以外の領域に、ケーシング内のＬＥＤ(18a)を外部から遮蔽するための塗装膜(14c)が形成されている。
光照射装置の各ＬＥＤ(18a)から発せられた光は、同図(ｂ)に破線の矢印で示す如く、透明の各操作キー(14a)を通過して、その表面に形成された蛍光膜(14b)に入射する。従って、光照射装置の各ＬＥＤ(18a)を点灯させれば、各操作キー(14a)の表面に形成された蛍光膜(14)は、外部からの光のエネルギーのみならず、光照射装置のＬＥＤ(18a)からの光のエネルギーをも蓄積することになる。
【００２３】
図３は、上記携帯電話機の電気的な構成を表わしている。
上記携帯電話機においては、図示の如く、アンテナ(13)に電話回路(16)が接続されており、該電話回路(16)によって、他の携帯電話機との間や加入者電話回線に接続された一般電話機との間の通話やデータ通信のための信号処理が行なわれる。
【００２４】
電話回路(16)の動作は、マイクロコンピュータからなる制御回路(10)によって制御されており、該制御回路(10)に、スピーカ(21)及びマイクロホン(22)が接続され、受話音の出力及び送話音の入力が可能となっている。
又、制御回路(10)には、上述のディスプレイ(15)及びキー入力装置(14)が接続されると共に、上述のバックライト(17)及び光照射装置(18)が接続されている。
【００２５】
本実施例の携帯電話機においては、外部からの光を受ける時間が短い場合、例えば、装置本体を長時間に亘り鞄等に入れて携帯する場合に設定すべき携帯モードの設定が可能である。
【００２６】
図４は、上記制御回路(10)による制御手続を表わしている。尚、該制御回路(10)には、１つのタイマが内蔵されている。
先ずステップＳ１では、電源がオンに設定されたか否かを判断し、ノー(ＮＯ)の場合は、ステップＳ１にて同じ判断を繰り返す一方、イエス(ＹＥＳ)の場合は、ステップＳ２に移行して、各ポートの設定等、必要な初期設定を行なった後、ステップＳ３では、携帯モードが選択されているか否かを判断する。
【００２７】
携帯モードが選択されている場合は、ステップＳ３にてイエスと判断されてステップＳ４に移行し、光照射装置(18)の複数のＬＥＤを１秒間だけ点灯した後、ステップＳ５ではタイマを起動し、続いてステップＳ６では、前記タイマの出力値に基づいて１０分間が経過したか否かを判断する。
ステップＳ４にて複数のＬＥＤが点灯されてから１０分間が経過するまでは、ステップＳ６にて同じ判断が繰り返され、１０分間が経過した時点で、ステップＳ６にてイエスと判断されてステップＳ７に移行し、タイマをリセットした後、ステップＳ３に戻る。
【００２８】
これに対し、携帯モードが選択されていない場合は、ステップＳ８に移行して、着信があったか否かを判断する。
ステップＳ８にてイエスと判断された場合は、ステップＳ１０に移行して、光照射装置(18)の複数のＬＥＤを１０秒間だけ点灯した後、ステップＳ３に戻る。
一方、ステップＳ８にてノーと判断された場合は、ステップＳ９に移行して、キー入力装置(14)の何れかの操作キーが押下されたか否かを判断し、ノーと判断された場合はステップＳ３に戻り、イエスと判断された場合は、ステップＳ１０に移行して、光照射装置(18)の複数のＬＥＤを１０秒間だけ点灯した後、ステップＳ３に戻る。
【００２９】
上記手続によって、装置本体が携帯モードに設定されている状態では、光照射装置(18)の複数のＬＥＤが１０分間隔で１秒間ずつ繰り返し点灯されることになる。
一方、装置本体が携帯モードに設定されていない状態では、着信があったとき、或いはキー入力装置(14)の何れかの操作キーが押下されたときに、光照射装置(18)の複数のＬＥＤが１０秒間だけ点灯されることになる。
【００３０】
本実施例の携帯電話機においては、装置本体を携帯モードに設定しておけば、上述の如く光照射装置(18)が１０分間隔で１秒間ずつ繰り返し点灯されて、各操作キーの表面に形成された蛍光膜は、光照射装置(18)の各ＬＥＤからの光のエネルギーを定期的に蓄積することになる。従って、外部からの光を受ける時間が短い場合であっても充分な光エネルギー蓄積量が得られる。このため、周囲の暗い状態が長時間に亘って継続した場合であっても、蓄積された全ての光エネルギーが消費されて蛍光膜が発光し得ない事態が生じることはなく、蛍光膜は、周囲が暗い状態で常に発光することになる。この様に、蛍光膜は周囲が暗い状態で常に発光するため、各操作キーの機能表示は、周囲が明るい状態のみならず、周囲が暗い状態であっても常に見易いものとなる。
外部からの光を受ける時間が長い場合には、外部から光が長時間に亘り蛍光膜に入射して充分な光エネルギー蓄積量が得られる。従って、装置本体を携帯モードに設定して光照射装置(18)からの光を定期的に蛍光膜に照射する必要はなく、この場合、携帯モードの設定を解除しておけば、着信或いはキー操作があったときにのみ光照射装置(18)が点灯されるため、無駄な電力の消費を防止することが出来る。
【００３１】
第２実施例
本実施例の携帯電話機の外観は、図１に示す第１実施例の携帯電話機と同一である。
又、本実施例の携帯電話機の電気的構成も、図３に示す制御回路(10)を除き、第１実施例の携帯電話機と同一である。本実施例の制御回路は、第１実施例の制御回路(10)とは異なる制御動作を実行する。
【００３２】
図５は、本実施例の制御回路による制御手続を表わしている。尚、該制御回路には、第１及び第２のタイマが内蔵されている。
先ずステップＳ１１では、電源がオンに設定されたか否かを判断し、ノー(ＮＯ)の場合は、ステップＳ１１にて同じ判断を繰り返す一方、イエス(ＹＥＳ)の場合は、ステップＳ１２に移行して、各ポートの設定等、必要な初期設定を行なった後、ステップＳ１３では、携帯モードが選択されているか否かを判断する。
携帯モードが選択されていない場合は、ステップＳ１３にて同じ判断を繰り返す。
【００３３】
これに対し、携帯モードが選択されている場合は、ステップＳ１３にてイエスと判断されてステップＳ１４に移行し、キー入力装置(14)の何れかの操作キーが押下されたか否かを判断し、ノーの場合はステップＳ１３に戻る一方、イエスの場合はステップＳ１５に移行して、第１タイマを起動した後、ステップＳ１６に移行する。
【００３４】
ステップＳ１６では、光照射装置(18)の複数のＬＥＤを１秒間だけ点灯した後、ステップＳ１７では第２タイマを起動し、続いてステップＳ１８では、前記第１タイマの出力値に基づいて１分間が経過したか否かを判断する。
キー入力装置(14)の何れかの操作キーが押下されてステップＳ１４にてイエスと判断されてから１分間が経過していない場合は、ステップＳ１８にてノーと判断されてステップＳ１９に移行し、第２タイマの出力値に基づいて１０秒間が経過したか否かを判断する。
ステップＳ１６にて複数のＬＥＤが点灯されてから１０秒間が経過するまでは、ステップＳ１８及びステップＳ１９の判断が繰り返され、１０秒間が経過した時点でステップＳ１９にてイエスと判断されてステップＳ２０に移行し、第２タイマをリセットした後、ステップＳ１６に戻る。
その後、キー入力装置(14)の何れかの操作キーが押下されてステップＳ１４にてイエスと判断されてから１分間が経過すると、ステップＳ１８にてイエスと判断されてステップＳ２１に移行し、第１タイマをリセットした後、ステップＳ１３に戻る。
【００３５】
上記手続によって、装置本体が携帯モードに設定されている状態では、キー入力装置(14)の何れかの操作キーが押下されたとき、その時点から１分間に亘って、光照射装置(18)の複数のＬＥＤが１０秒間隔で１秒間ずつ繰り返し点灯されることになる。
装置本体が携帯モードに設定されていない状態では、光照射装置(18)の複数のＬＥＤは点灯されず、消灯状態が維持されることになる。
【００３６】
本実施例の携帯電話機においては、装置本体を携帯モードに設定すれば、キー操作があったとき、その時点から１分間に亘って光照射装置(18)が１０秒間隔で１秒間ずつ繰り返し点灯されるため、各操作キーの蛍光膜は、充分に多くの光エネルギーを蓄積する。従って、各操作キーの蛍光膜は、周囲が暗い状態で常に発光することとなり、各操作キーの機能表示は、周囲が明るい状態のみならず周囲が暗い状態であっても常に見易いものとなる。
【００３７】
第３実施例
本実施例の携帯電話機の外観は、図１に示す第１実施例の携帯電話機と同一である。
又、本実施例の携帯電話機の電気的構成も、図３に示す制御回路(10)を除き、第１実施例の携帯電話機と同一である。本実施例の制御回路は、第１実施例の制御回路(10)とは異なる制御動作を実行する。
【００３８】
図６は、本実施例の制御回路による制御手続を表わしている。尚、該制御回路には、１つのタイマが内蔵されている。
先ずステップＳ３１では、電源がオンに設定されたか否かを判断し、ノー(ＮＯ)の場合は、ステップＳ３１にて同じ判断を繰り返す一方、イエス(ＹＥＳ)の場合は、ステップＳ３２に移行して、各ポートの設定等、必要な初期設定を行なった後、ステップＳ３３では、携帯モードが選択されているか否かを判断する。
携帯モードが選択されていない場合は、ステップＳ３３にて同じ判断を繰り返す。
【００３９】
これに対し、携帯モードが選択されている場合は、ステップＳ３４に移行して、着信があったか否かを判断し、イエスの場合は、ステップＳ３６に移行する。
一方、ステップＳ３４にてノーと判断された場合は、ステップＳ３５に移行して、キー入力装置(14)の何れかの操作キーが押下されたか否かを判断し、ノーと判断された場合はステップＳ３３に戻る一方、イエスと判断された場合は、ステップＳ３６に移行する。
ステップＳ３６では、光照射装置(18)の複数のＬＥＤを１０秒間だけ点灯した後、ステップＳ３７ではタイマを起動し、続いてステップＳ３８では、前記タイマの出力値に基づいて所定時間が経過したか否かを判断する。
ステップＳ３６にて複数のＬＥＤが点灯されてから所定時間が経過するまでは、ステップＳ３８にて同じ判断が繰り返され、所定時間が経過した時点で、ステップＳ３８にてイエスと判断されてステップＳ３９に移行し、タイマをリセットした後、ステップＳ３３に戻る。
【００４０】
上記手続によって、装置本体が携帯モードに設定されている状態では、着信があったとき、或いはキー入力装置(14)の何れかの操作キーが押下されたときに、光照射装置(18)の複数のＬＥＤが１０秒間だけ点灯され、この時点から所定時間が経過するまでの間は、着信やユーザによるキー操作があった場合であっても、前記複数のＬＥＤは点灯されず、消灯状態が維持されることになる。
装置本体が携帯モードに設定されていない状態では、光照射装置(18)の複数のＬＥＤは点灯されず、消灯状態が維持されることになる。
【００４１】
本実施例の携帯電話機においては、装置本体を携帯モードに設定すれば、着信或いはキー操作があったとき、その時点から１０秒間だけ光照射装置(18)が点灯されるため、各操作キーの蛍光膜は、充分に多くの光エネルギーを蓄積する。従って、各操作キーの蛍光膜は、周囲が暗い状態で常に発光することとなり、各操作キーの機能表示は、周囲が明るい状態のみならず周囲が暗い状態であっても常に見易いものとなる。
【００４２】
又、本実施例の携帯電話機においては、装置本体が携帯モードに設定されている状態であっても、光照射装置(18)が１０秒間だけ点灯されてから所定時間が経過するまでの間は、着信やユーザによるキー操作があった場合であっても、光照射装置(18)は点灯されず、消灯状態が維持される。従って、着信やキー操作がある度にキー照明装置が点灯される従来の携帯電話機に比べて、消費電力の節減を図ることが出来る。
【００４３】
第４実施例
本実施例の携帯電話機は、図７及び図８に示す如く扁平な本体ケース(３)と蓋体ケース(４)を具え、本体ケース(３)の上端部と蓋体ケース(４)の下端部とがヒンジ機構(５)を介して互いに連結されて、図７の如く蓋体ケース(４)を開いた状態と、図８の如く蓋体ケース(４)を閉じた状態の間で、開閉操作が可能となっている。この様にして、折り畳みが可能なケーシングが構成されている。
又、本体ケース(３)の背部には、伸縮式アンテナ(31)が配備されている。
【００４４】
本体ケース(３)の内面の下端部には、マイクロホンを内蔵した送話部(６)が配備される一方、蓋体ケース(４)の内面の上端部には、スピーカを内蔵した受話部(７)が設けられている。
又、本体ケース(３)の内面には、蓋体ケース(４)の開閉を検出するための開閉検出スイッチ(33)が配備されている。該開閉検出スイッチ(33)は、蓋体ケース(４)を閉じることによってオンとなり、蓋体ケース(４)を開くことによってオフとなる。
【００４５】
又、本体ケース(３)の内面には、複数の操作キーからなるキー入力装置(32)が配備されると共に、蓋体ケース(４)の内面には、ディスプレイ(41)が配備されており、蓋体ケース(４)には、ディスプレイ(41)の表示面を照明するためのバックライト(図示省略)が内蔵されている。
【００４６】
上記携帯電話機においては、第１実施例と同様に、キー入力装置(32)の複数の操作キーの表面に夫々、各操作キーの機能を表わす蛍光膜のパターンが形成されており、複数の操作キーの表面及びディスプレイ(41)の表示面は、蓋体ケース(４)を閉じた状態で両ケース(３)(４)の互いに対向する位置に配備されている。従って、蓋体ケース(４)を閉じた状態で前記バックライトを点灯した場合、バックライトから発せられた光は、各操作キーの蛍光膜に照射されることになる。
【００４７】
図９は、上記携帯電話機の電気的な構成を表わしている。
上記携帯電話機においては、図示の如く、アンテナ(31)に電話回路(34)が接続されており、該電話回路(34)によって、他の携帯電話機や一般電話機との間の通話やデータ通信のための信号処理が行なわれる。
【００４８】
電話回路(34)の動作は、マイクロコンピュータからなる制御回路(30)によって制御されており、該制御回路(30)に、スピーカ(70)及びマイクロホン(60)が接続され、受話音の出力及び送話音の入力が可能となっている。
又、制御回路(30)には、上述のディスプレイ(41)、バックライト(42)及びキー入力装置(32)が接続されると共に、開閉検出スイッチ(33)が接続されている。
【００４９】
図１０は、上記制御回路(30)による制御手続を表わしている。尚、該制御回路(30)には、１つのタイマが内蔵されている。
先ずステップＳ４１では、電源がオンに設定されたか否かを判断し、ノー(ＮＯ)の場合は、ステップＳ４１にて同じ判断を繰り返す一方、イエス(ＹＥＳ)の場合は、ステップＳ４２に移行して、各ポートの設定等、必要な初期設定を行なった後、ステップＳ４３では、携帯モードが選択されているか否かを判断する。
携帯モードが選択されていない場合は、ステップＳ４３にて同じ判断を繰り返す。
【００５０】
これに対し、携帯モードが選択されている場合は、ステップＳ４４に移行して、開閉検出スイッチ(33)の出力信号に基づいて、蓋体ケース(４)が閉じられているか否かを判断する。
【００５１】
蓋体ケース(４)が開かれている場合は、ステップＳ４５に移行して、着信があったか否かを判断し、イエスの場合は、ステップＳ４７に移行して、バックライト(42)を１０秒間だけ点灯した後、ステップＳ４３に戻る。
一方、ステップＳ４５にてノーと判断された場合は、ステップＳ４６に移行して、キー入力装置(32)の何れかの操作キーが押下されたか否かを判断し、ノーと判断された場合はステップＳ４３に戻り、イエスと判断された場合は、ステップＳ４７に移行して、バックライト(42)を１０秒間だけ点灯した後、ステップＳ４３に戻る。
【００５２】
蓋体ケース(４)が閉じられている場合は、ステップＳ４４にてイエスと判断されてステップＳ４８に移行し、バックライト(42)を１秒間だけ点灯した後、ステップＳ４９ではタイマを起動し、続いてステップＳ５０では、前記タイマの出力値に基づいて１０分間が経過したか否かを判断する。
ステップＳ４８にてバックライト(42)が点灯されてから１０分間が経過するまでは、ステップＳ５０にて同じ判断が繰り返され、１０分間が経過した時点で、ステップＳ５０にてイエスと判断されてステップＳ５１に移行し、タイマをリセットした後、ステップＳ４３に戻る。
【００５３】
上記手続によって、装置本体が携帯モードに設定されている状態では、蓋体ケース(４)が閉じられている場合に、バックライト(42)が１０分間隔で１秒間ずつ繰り返し点灯される一方、蓋体ケース(４)が開かれている場合には、着信があったとき、或いはキー入力装置(14)の何れかの操作キーが押下されたときに、バックライト(42)が１０秒間だけ点灯される。
装置本体が携帯モードに設定されていない状態では、バックライト(42)は点灯されず、消灯状態が維持される。
【００５４】
本実施例の携帯電話機においては、装置本体を携帯モードに設定すれば、蓋体ケース(４)が閉じられている状態ではバックライト(42)が１０秒間隔で１秒間ずつ繰り返し点灯されるため、各操作キーの蛍光膜は、充分に多くの光エネルギーを蓄積する。従って、各操作キーの蛍光膜は、周囲が暗い状態で常に発光することとなり、各操作キーの機能表示は、周囲が明るい状態のみならず周囲が暗い状態であっても常に見易いものとなる。
又、本実施例の携帯電話機においては、蛍光膜に光を照射するための光照射装置としてバックライト(42)を利用することによって、装置本体の小型化が実現されている。
【図面の簡単な説明】
【図１】第１実施例乃至第３実施例の携帯電話機の外観を表わす斜視図である。
【図２】上記携帯電話機において、光照射装置のＬＥＤから発せられた光がキー入力装置の操作キーに照射されている状態を表わす模式図である。
【図３】上記携帯電話機の電気的な構成を表わすブロック図である。
【図４】第１実施例の携帯電話機における制御手続きを表わすフローチャートである。
【図５】第２実施例の携帯電話機における制御手続きを表わすフローチャートである。
【図６】第３実施例の携帯電話機における制御手続きを表わすフローチャートである。
【図７】第４実施例の折り畳み式携帯電話機の開いた状態を示す斜視図である。
【図８】上記折り畳み式携帯電話機の閉じた状態を示す斜視図である。
【図９】上記折り畳み式携帯電話機の電気的な構成を表わすブロック図である。
【図１０】上記折り畳み式携帯電話機における制御手続きを表わすフローチャートである。
【符号の説明】
(１)  ケーシング
(13)  アンテナ
(14)  キー入力装置
(15)  ディスプレイ
(16)  電話回路
(17)  バックライト
(18)  光照射装置
(21)  スピーカ
(22)  マイクロホン
【図１】
0003935679.tif 000002
【図２】
0003935679.tif 000003
【図３】
0003935679.tif 000004
【図４】
0003935679.tif 000005
【図５】
0003935679.tif 000006
【図６】
0003935679.tif 000007
【図７】
0003935679.tif 000008
【図８】
0003935679.tif 000009
【図９】
0003935679.tif 000010
【図１０】
0003935679.tif 000011